(57)【要約】【課題】携帯電話端末が鞄やポケットの中と判断される場合は、ＬＥＤ点灯や背面表示をさせない。【解決手段】携帯電話端末の周囲の照度を測定する照度センサ２２と、携帯電話端末の加速度を測定する加速度センサ２１と、を備え、制御部１は、照度センサ２２が測定した携帯電話端末の周囲の照度が所定の閾値以下である場合に、加速度センサー２１で測定した加速度に基づいて携帯電話端末の設置状態及び携帯電話端末が移動しているか否かを判断し、携帯電話端末が傾いて設置されている場合又は携帯電話端末が移動していると判断される場合は、電話又はメールを受信してもＬＥＤ４及び背面表示部３を作動させない。【選択図】図１
2010263560.tif 000002
【特許請求の範囲】
【請求項１】
操作の用に供する複数のキーを含む操作部、電話及びメールを受信するアンテナ部、該アンテナ部を制御する無線部、電話又はメールを受信した際に点灯させるＬＥＤ、文字又は画像の情報を表示する表示部並びに前記無線部、前記ＬＥＤ及び前記表示部を制御する制御部を有する携帯電話端末であって、
前記携帯電話端末の周囲の照度を測定する照度センサと、
前記携帯電話端末の加速度を測定する加速度センサと、
を備え、
前記制御部は、前記照度センサが測定した前記携帯電話端末の周囲の照度が所定の閾値以下である場合に、前記加速度センサーで測定した加速度に基づいて前記携帯電話端末の設置状態及び前記携帯電話端末が移動しているか否かを判断し、前記携帯電話端末が傾いて設置されている場合又は前記携帯電話端末が移動していると判断される場合は、電話又はメールを受信しても前記ＬＥＤ及び前記表示部を作動させないことを特徴とする携帯電話端末。
【請求項２】
前記制御部は、前記照度センサが測定した前記携帯電話端末の周囲の照度が所定の閾値以下である場合に、前記加速度センサーで測定した加速度に基づいて前記携帯電話端末の設置状態及び前記携帯電話端末が移動しているか否かを判断し、前記携帯電話端末が傾いて設置されている場合又は前記携帯電話端末が移動していると判断される場合は、前記操作部をロックすることを特徴とする請求項１に記載の携帯電話端末。
【請求項３】
操作の用に供する複数のキーを含む操作部、電話及びメールを受信するアンテナ部、該アンテナ部を制御する無線部、電話又はメールを受信した際に点灯させるＬＥＤ、文字又は画像の情報を表示する表示部並びに前記無線部、前記ＬＥＤ及び前記表示部を制御する制御部を有する携帯電話端末の制御方法であって、
前記携帯電話端末の周囲の照度を測定する手順と、
前記携帯電話端末の周囲の照度が所定の閾値以下である場合に、前記携帯電話端末の加速度を測定する手順と、
前記測定した加速度に基づいて前記携帯電話端末の設置状態及び前記携帯電話端末が移動しているか否かを判断する手順と、
前記携帯電話端末が傾いて設置されている場合又は前記携帯電話端末が移動していると判断される場合は、電話又はメールを受信しても前記ＬＥＤ及び前記表示部を作動させない手順と、
を備えることを特徴とする携帯電話端末の制御方法。
【請求項４】
前記携帯電話端末が傾いて設置されている場合又は前記携帯電話端末が移動していると判断される場合は、前記操作部をロックする手順を別途備えることを特徴とする請求項３に記載の携帯電話端末の制御方法。
【請求項５】
操作の用に供する複数のキーを含む操作部、電話及びメールを受信するアンテナ部、該アンテナ部を制御する無線部、電話又はメールを受信した際に点灯させるＬＥＤ、文字又は画像の情報を表示する表示部並びに前記無線部、前記ＬＥＤ及び前記表示部を制御する制御部を有する携帯電話端末の制御プログラムであって、
前記携帯電話端末の周囲の照度を測定する処理と、
前記携帯電話端末の周囲の照度が所定の閾値以下である場合に、前記携帯電話端末の加速度を測定する処理と、
前記測定した加速度に基づいて前記携帯電話端末の設置状態及び前記携帯電話端末が移動しているか否かを判断する処理と、
前記携帯電話端末が傾いて設置されている場合又は前記携帯電話端末が移動していると判断される場合は、電話又はメールを受信しても前記ＬＥＤ及び前記表示部を作動させない処理と、
を前記携帯電話端末に実行させることを特徴とする携帯電話端末の制御プログラム。
【請求項６】
前記携帯電話端末が傾いて設置されている場合又は前記携帯電話端末が移動していると判断される場合は、前記操作部をロックする処理を別途前記携帯電話端末に実行させることを特徴とする請求項５に記載の携帯電話端末の制御プログラム。
【発明の詳細な説明】
【技術分野】
【０００１】
本発明は、省電力を考慮した携帯電話端末、その制御方法及びその制御プログラムに関する。
【背景技術】
【０００２】
携帯電話端末の使用時間を延ばすためには、携帯電話端末の消費電力を抑える必要があるものの、現行の技術では、電話やメールの受信を待ち受けている時は常にＬＥＤを点灯させ、背面表示をＯＮにしていた。
【０００３】
しかし、これでは、携帯電話端末が鞄やポケットの中にある場合でも、背面表示を点灯させていることになり、余計な電力を消費し、電池の減りが早くなることで、携帯電話端末の使用時間に影響を与えていた。
【０００４】
そこで、特許文献１には、光センサにより機器が明るい環境下にあるのか、暗い環境下にあるのかを判別する発明が開示されている。
【０００５】
特許文献２には、発光素子と受光素子が同方向を向いた反射型センサにより、ユーザーがスピーカ７の部位を耳に当てている期間や、携帯電話装置がユーザーの鞄やポケットにしまわれている期間を検出し、この間は表示部とバックライトを停止させる発明が開示されている。
【０００６】
特許文献３には、加速度センサによって携帯電話機をバック等の入れ物に収納したときを検出する発明が開示されている。
【先行技術文献】
【特許文献】
【０００７】
【特許文献１】特開２００１−０６９２３５号公報
【特許文献２】特開２００１−３５２３９５号公報
【特許文献３】特開２００３−１６３７４２号公報
【発明の概要】
【発明が解決しようとする課題】
【０００８】
しかしながら、特許文献１に開示されている発明は、機器の周囲の環境の明暗のみで状況を判断し、特許文献２に開示されている発明は反射型センサが発した光を反射する物体が携帯電話装置の近傍に存する場合にのみ動作するというものである。特許文献１及び２に開示されている発明のいずれもが、携帯電話端末の置かれている状況を正しく把握することができず、その結果、表示部やバックライトの制御が必ずしも的確ではないという問題点がある。
【０００９】
特許文献３に開示されている発明は、加速度センサにより、手持ちで通話中であるか否かを判断し得るものであるが、周囲の明るさ等の他の要素は考慮していないため、これも的確な制御という点では難がある。
【００１０】
本発明は上記に鑑みてなされたもので、携帯電話端末の周囲の明暗、端末の加速度を測定し、携帯電話端末が鞄やポケットの中と判断される場合は、省電力のため、ＬＥＤ点灯や背面表示をさせない携帯電話端末、その制御方法及びその制御プログラムを提供することを目的とする。
【課題を解決するための手段】
【００１１】
上述の問題を解決するため、本発明に係る携帯電話端末は、操作の用に供する複数のキーを含む操作部、電話及びメールを受信するアンテナ部、該アンテナ部を制御する無線部、電話又はメールを受信した際に点灯させるＬＥＤ、文字又は画像の情報を表示する表示部並びに前記無線部、前記ＬＥＤ及び前記表示部を制御する制御部を有する携帯電話端末であって、前記携帯電話端末の周囲の照度を測定する照度センサと、前記携帯電話端末の加速度を測定する加速度センサと、を備え、前記制御部は、前記照度センサが測定した前記携帯電話端末の周囲の照度が所定の閾値以下である場合に、前記加速度センサーで測定した加速度に基づいて前記携帯電話端末の設置状態及び前記携帯電話端末が移動しているか否かを判断し、前記携帯電話端末が傾いて設置されている場合又は前記携帯電話端末が移動していると判断される場合は、電話又はメールを受信しても前記ＬＥＤ及び前記表示部を作動させないことを特徴とする。
【００１２】
上述の問題を解決するため、本発明に係る携帯電話端末の制御方法は、操作の用に供する複数のキーを含む操作部、電話及びメールを受信するアンテナ部、該アンテナ部を制御する無線部、電話又はメールを受信した際に点灯させるＬＥＤ、文字又は画像の情報を表示する表示部並びに前記無線部、前記ＬＥＤ及び前記表示部を制御する制御部を有する携帯電話端末の制御方法であって、前記携帯電話端末の周囲の照度を測定する手順と、
前記携帯電話端末の周囲の照度が所定の閾値以下である場合に、前記携帯電話端末の加速度を測定する手順と、前記測定した加速度に基づいて前記携帯電話端末の設置状態及び前記携帯電話端末が移動しているか否かを判断する手順と、前記携帯電話端末が傾いて設置されている場合又は前記携帯電話端末が移動していると判断される場合は、電話又はメールを受信しても前記ＬＥＤ及び前記表示部を作動させない手順と、を備えることを特徴とする。
【００１３】
上述の問題を解決するため、本発明に係る携帯電話端末の制御プログラムは、操作の用に供する複数のキーを含む操作部、電話及びメールを受信するアンテナ部、該アンテナ部を制御する無線部、電話又はメールを受信した際に点灯させるＬＥＤ、文字又は画像の情報を表示する表示部並びに前記無線部、前記ＬＥＤ及び前記表示部を制御する制御部を有する携帯電話端末の制御プログラムであって、前記携帯電話端末の周囲の照度を測定する処理と、前記携帯電話端末の周囲の照度が所定の閾値以下である場合に、前記携帯電話端末の加速度を測定する処理と、前記測定した加速度に基づいて前記携帯電話端末の設置状態及び前記携帯電話端末が移動しているか否かを判断する処理と、前記携帯電話端末が傾いて設置されている場合又は前記携帯電話端末が移動していると判断される場合は、電話又はメールを受信しても前記ＬＥＤ及び前記表示部を作動させない処理と、を前記携帯電話端末に実行させることを特徴とする。
【発明の効果】
【００１４】
本発明によれば、携帯電話端末の周囲の明暗、端末の加速度を測定し、携帯電話端末が鞄やポケットの中と判断される場合は、省電力のため、ＬＥＤ点灯や背面表示をさせない携帯電話端末、その制御方法及びその制御プログラムを提供することができる。
【図面の簡単な説明】
【００１５】
【図１】本発明の第１の実施の形態に係る携帯電話端末の構成図である。
【図２】本発明の第１の実施の形態に係る携帯電話端末の動作を示すフローチャートである。
【図３】本発明の第２の実施の形態に係る携帯電話端末の構成図である。
【発明を実施するための形態】
【００１６】
［第１の実施の形態］
次に、本発明の実施の形態について図面を参照して詳細に説明する。ここで、図１は、本発明の第１の実施の形態に係る携帯電話端末の構成図である。
【００１７】
図１を参照すると、本発明の第１の実施の形態は、電話及びメールを受信するアンテナ部６、アンテナ部６を制御する無線部５、携帯電話端末の状態を検出する状態検出部２、電話又はメールを受信した際に点灯させるＬＥＤ４、文字又は画像の情報を表示する背面表示部３並びにそれらを制御する制御部１を備える。又、図１には示していないが、本実施の形態に係る携帯電話端末は、操作の用に供する複数のキーを含む操作部も備えている。
【００１８】
状態検出部２は、加速度センサー２１と照度センサー２２とを備えている。加速度センサー２１は携帯電話端末の加速度を測定することで、携帯電話端末の置かれている傾きや移動しているか静止しているかを検出し、照度センサー２２は光を検出し、携帯電話端末の周囲の照度を測定する。
【００１９】
制御部１は、照度センサー２２で測定した携帯電話端末の周囲の照度が所定の閾値以下である場合に、加速度センサー２１で測定した加速度に基づいて携帯電話端末の設置状態及び携帯電話端末が移動しているか否かを判断し、携帯電話端末が傾いて設置されている場合又は携帯電話端末が移動していると判断される場合は、携帯電話端末が鞄の中やポケットの中にあると判断し、制御部１は、電話又はメールを受信してもＬＥＤ４、背面表示部３を作動させないことで電力消費を抑える。
【００２０】
［第１の実施の形態の動作の説明］
次に、図１及び図２のフローチャートを参照して本発明の第１の実施の形態の動作について詳細に説明する。ここで、図２は、本発明の第１の実施の形態に係る携帯電話端末の動作を示すフローチャートである。
【００２１】
まず、照度センサー２２で携帯電話端末の周囲の照度を測定し（図２のステップＡ１）、検出した照度が閾値以下であるか否かの判定を行う（ステップＡ２）。
【００２２】
携帯電話端末の周囲の照度が閾値以下であれば（ステップＡ２：Ｙｅｓ）、次に加速度センサー２１で端末の加速度を検出する（ステップＡ３）。検出した加速度により、携帯電話端末が傾いて置かれている又は移動しているかの判定を行う（ステップＡ４）。
【００２３】
傾いて置かれている、又は移動している場合は（ステップＡ４：Ｙｅｓ）、制御部１によって通話着信、メール受信をしてもＬＥＤを点灯しない設定にする（ステップＡ５）。更に背面表示もしない設定にする（ステップＡ６）。
【００２４】
［第２の実施の形態］
次に、本発明の第２の実施の形態について図面を参照して詳細に説明する。ここで、図３は、本発明の第２の実施の形態に係る携帯電話端末の構成図である。
【００２５】
図３を参照すると、本発明の第２の実施の形態は、電話及びメールを受信するアンテナ部６、アンテナ部６を制御する無線部５、携帯電話端末の状態を検出する状態検出部２、携帯電話端末の操作の用に供する複数のキーを含む操作部７並びにそれらを制御する制御部１を備える。
【００２６】
状態検出部２は、加速度センサー２１と照度センサー２２とを備えている。加速度センサー２１は携帯電話端末の加速度を測定することで、携帯電話端末の置かれている傾きや移動しているか静止しているかを検出し、照度センサー２２は光を検出し、携帯電話端末の周囲の照度を測定する。
【００２７】
制御部１は、照度センサー２２で測定した携帯電話端末の周囲の照度が所定の閾値以下である場合に、加速度センサー２１で測定した加速度に基づいて携帯電話端末の設置状態及び携帯電話端末が移動しているか否かを判断し、携帯電話端末が傾いて設置されている場合又は携帯電話端末が移動していると判断される場合は、携帯電話端末の操作部７をロックし、操作部７からの入力を一切受け付けなくすることで、鞄やポケットの中での誤動作を防止する。
【００２８】
第２の実施の形態は、鞄やポケットの中での誤動作を防止し、思わぬ消費電力の増加による携帯電話端末の使用時間への影響を抑えるというものである。この第２の実施の形態においても、前述した第１の実施の形態のように電話又はメールを受信した場合であってもＬＥＤ及び表示部を作動させないようにしてもよい。
【００２９】
なお、本発明の第１の実施の形態及び第２の実施の形態は、装置である携帯電話端末の発明のみならず、携帯電話端末の制御方法及びその制御プログラムとしても実施できる。
【産業上の利用可能性】
【００３０】
本発明は、ユーザーが見ていない状態では必要のない機能を動作させないことで消費電力を抑えることができ、省電力型の携帯電話端末に利用することができる。
【符号の説明】
【００３１】
１  制御部
２  状態検出部
３  背面表示部
４  ＬＥＤ
５  無線部
６  アンテナ部
７  操作部
２１  加速度センサ
２２  照度センサ
【図１】
2010263560.tif 000003
【図２】
2010263560.tif 000004
【図３】
2010263560.tif 000005